(57)【要約】【課題】照明負荷による点灯及び消灯の繰り返しを防止し、照明負荷を安定に点灯させて一定の明るさを得る。【解決手段】設定部１５は、ユーザによる点灯照度用つまみ及び点灯照度用つまみへの操作により、消灯照度が、照度センサ１２４の検出照度が点灯照度以下になったときに照明負荷３の各照明器具の点灯で大きくなった照度より大きく、照明負荷３の各照明器具が点灯した状態での最大照度より小さくなるように、点灯照度及び消灯照度を可変して設定する。上記設定部１５は、設定された点灯照度及び消灯照度の情報を含む設定信号を信号処理部１３に出力する。信号処理部１３は、照度センサ１２４の検出照度が点灯照度以下であると判断した場合、熱線センサ１２０の検出に関係なく、複数の照明負荷２，３のうち照明負荷３に対してのみ、照度センサ１２４の検出照度が消灯照度になるまで電力を連続的に供給させるための制御信号を出力駆動部１４に出力する。【選択図】図１
2006331890.tif 000002
【特許請求の範囲】
【請求項１】
商用電源からの電力が供給されると点灯する複数の照明負荷と接続する熱線センサ付スイッチであって、
周囲の照度を検出する照度センサと、
人体からの熱線を検出する熱線センサと、
前記複数の照明負荷のうち一の照明負荷に対して前記電力を前記熱線センサの検出に応じて供給するとともに、前記複数の照明負荷のうち他の照明負荷に対して前記電力を、前記照度センサの検出照度が予め設定される第１の設定照度以上になった場合、前記熱線センサの検出に応じて供給し、前記照度センサの検出照度が前記第１の設定照度より小さく設定される第２の設定照度以下になった場合、前記照度センサの検出照度が前記第１の設定照度になるまで連続的に供給する制御手段と、
前記第１の設定照度が、前記照度センサの検出照度が前記第２の設定照度以下になったときに前記他の照明負荷の点灯により大きくなった照度より大きく、前記他の照明負荷が点灯した状態での最大照度より小さくなるように、前記第１の設定照度及び前記第２の設定照度を可変して設定する設定手段と
を備えることを特徴とする熱線センサ付スイッチ。
【請求項２】
前記設定手段が、前記第２の設定照度に対する前記第１の設定照度の比率を１以上の範囲で可変することにより、前記第１の設定照度を設定することを特徴とする請求項１記載の熱線センサ付スイッチ。
【請求項３】
前記設定手段が、前記第１の設定照度より大きい第３の設定照度を設定し、
前記照度センサの検出照度が前記第３の設定照度以上の範囲である場合、前記制御手段が、前記複数の照明負荷への前記電力の供給を常に停止することを特徴とする請求項１又は２記載の熱線センサ付スイッチ。
【請求項４】
前記照度センサの検出照度が前記第２の設定照度より大きい場合、前記制御手段が、前記熱線センサの検出に応じて前記複数の照明負荷に対して前記電力を供給した後、前記他の照明負荷に対して前記電力を、前記照度センサの検出照度が前記第１の設定照度になるまで連続して供給することを特徴とする請求項１〜３のいずれか記載の熱線センサ付スイッチ。
【発明の詳細な説明】
【技術分野】
【０００１】
本発明は、例えば、熱線センサ及び照度センサの検出に基づいて照明負荷を制御する熱線センサ付スイッチに関するものである。
【背景技術】
【０００２】
熱線センサ付スイッチは、人体からの熱線の変化を検出し、その検出に基づいて人の移動を検知する熱線センサ（例えばＰＩＲ（Ｐａｓｓｉｖｅ  Ｉｎｆｒａｒｅｄ）センサなど）を一体に備え、上記熱線センサからの検知信号に基づいて、例えば複数の照明器具を含む照明負荷を自動で制御する自動スイッチである。
【０００３】
従来、この種の熱線センサ付スイッチ８０は、図７（ａ）に示すように、複数の照明器具２０・・・を含む照明負荷２とともに照明システム８を構成し、熱線センサからの検知信号に基づいて照明負荷２の各照明器具２０を点灯させるものである。ところが、上記照明システム８では、熱線センサ付スイッチ８０の熱線センサの検知範囲から人がいなくなったり、人体の熱線を検出してから一定時間が経過したりすると、照明負荷２のすべての照明器具２０・・・が消灯し、周囲が真っ暗になってしまうという問題があった。
【０００４】
上記問題を解決するための一例として、図７（ｂ）に示すような、スイッチ８１をオンにすると常に照明負荷３の各照明器具３０を点灯させる照明システム８ａを、図７（ａ）の照明システム８と同時に用いて、図７（ｃ）のように、部屋８２に、熱線センサに連動して点灯する照明器具２０・・・の間に、常に点灯する照明器具３０，３０を設置するものがある。ところが、上記照明システム８ａを照明システム８と同時に用いたものは、スイッチ８１をオフにする操作を手動で行わない限り、周囲が明るい場合も各照明器具３０が点灯したままであるという別の問題が発生した。
【０００５】
一方、図８（ａ）に示すように、調光制御に対応した照明器具８３と、上記照明器具８３を制御する熱線センサ付スイッチ８４とを備える照明システム８ｂがある。上記照明システム８ｂでは、熱線センサ付スイッチ８４の熱線センサの検知範囲から人がいなくなったり、人体の熱線を検出してから一定時間が経過したりすると、熱線センサ付スイッチ８４が、照明器具８３に調光信号を送信して調光制御を行い、照明器具８３の照度を下げて点灯させる。図８（ｂ）には、時間に対する検知信号及び照明器具８３の明るさを示しているが、熱線センサの検知信号が出力されてから予め設定された遅れ時間Ｔでは、照明器具８３は明るく点灯し、その後、消灯することなく照度を下げて点灯する。ところが、上記照明システム８ｂでは、照明器具８３が、調光制御に対応した高価なものに限定されるという別の問題が発生した。
【０００６】
上記のような照明システムとは別に、熱線センサ及び照度センサを含む熱線センサ付スイッチを用いて、複数の照明負荷を制御する他の照明システムがある。上記他の照明システムでは、照度センサの検出照度が予め決められた点灯照度以下になると、複数の照明負荷のうち一の照明負荷の各照明器具が点灯するので、熱線センサが人体からの熱線を検出していないときに真っ暗になることを防止する。
【０００７】
なお、特許文献１には、照度が点灯照度より小さくなったときに点灯した照明器具を消灯させる消灯照度を点灯照度より大きく設定した照明器具の点灯制御装置が開示されている。
【特許文献１】特開平１０−１９９６８２号公報（第２頁−第５頁及び第２図）
【発明の開示】
【発明が解決しようとする課題】
【０００８】
しかしながら、上記他の照明システムにおいて、上記従来の熱線センサ付スイッチは、点灯照度が予め決められた照度に固定されているので、照度センサの検出照度が点灯照度以下になり、複数の照明負荷のうち一の照明負荷の各照明器具が点灯したときに、照度センサに各照明器具の明かりが回り込んで照度が点灯照度より大きくなることにより、各照明器具がすぐに消灯することが発生した。これにより、点灯と消灯を繰り返すという問題があった。
【０００９】
また、従来の熱線センサ付スイッチにおいて、点灯照度とともに消灯照度を予め固定して設定したとしても、上記従来の熱線センサ付スイッチは、照明負荷との距離を自由に決めて設置されるので、上記一の照明負荷の各照明器具の明かりが照度センサに回り込む割合が設置状況により異なってしまう。このため、図９に示すように、照度センサの検出照度Ｘ１が点灯照度Ｌ４以下になり上記一の照明負荷の各照明器具が点灯したときに、各照明器具の明かりが照度センサに回り込んで上昇した照度Ｘ２が消灯照度Ｌ５より大きくなって、各照明器具がすぐに消灯してしまう。これにより、点灯と消灯を繰り返すという問題を解決することができなかった。一方、上記設置状況により、消灯照度がＬ６の値になり最大照度Ｘ３より大きく場合もあり、照明負荷の各照明器具が一旦点灯すると消灯しなくなる場合もあった。なお、図９において、Ａは、複数の照明負荷の各照明器具を点灯させていない場合の照度を示し、Ｂは、複数の照明負荷のうち一の照明負荷の各照明器具を点灯させた場合の照度を示している。
【００１０】
本発明は上記の点に鑑みて為されたものであり、その目的とするところは、照明負荷による点灯と消灯の繰り返しを防止し、照明負荷を安定に点灯させて一定の明るさを得ることができる熱線センサ付スイッチを提供することにある。
【課題を解決するための手段】
【００１１】
請求項１に記載の発明は、商用電源からの電力が供給されると点灯する複数の照明負荷と接続する熱線センサ付スイッチであって、周囲の照度を検出する照度センサと、人体からの熱線を検出する熱線センサと、前記複数の照明負荷のうち一の照明負荷に対して前記電力を前記熱線センサの検出に応じて供給するとともに、前記複数の照明負荷のうち他の照明負荷に対して前記電力を、前記照度センサの検出照度が予め設定される第１の設定照度以上になった場合、前記熱線センサの検出に応じて供給し、前記照度センサの検出照度が前記第１の設定照度より小さく設定される第２の設定照度以下になった場合、前記照度センサの検出照度が前記第１の設定照度になるまで連続的に供給する制御手段と、前記第１の設定照度が、前記照度センサの検出照度が前記第２の設定照度以下になったときに前記他の照明負荷の点灯により大きくなった照度より大きく、前記他の照明負荷が点灯した状態での最大照度より小さくなるように、前記第１の設定照度及び前記第２の設定照度を可変して設定する設定手段とを備えることを特徴とする。
【００１２】
この構成では、複数の照明負荷の設置状況に応じて第１の設定照度及び第２の設定照度を設定することができるので、照度センサの検出照度が第２の設定照度以下になったときに、複数の照明負荷のうち他の照明負荷による点灯及び消灯の繰り返しを防止し、他の照明負荷を安定に点灯させて一定の明るさを得ることができる。
【００１３】
請求項２に記載の発明は、請求項１に記載の発明において、前記設定手段が、前記第２の設定照度に対する前記第１の設定照度の比率を１以上の範囲で可変することにより、前記第１の設定照度を設定することを特徴とする。この構成では、第１の設定照度が第２の設定照度より小さくなることを防止することができるので、第２の設定照度の大きさを気にすることなく第１の設定照度を設定することができる。
【００１４】
請求項３に記載の発明は、請求項１又は２に記載の発明において、前記設定手段が、前記第１の設定照度より大きい第３の設定照度を設定し、前記照度センサの検出照度が前記第３の設定照度以上の範囲である場合、前記制御手段が、前記複数の照明負荷への前記電力の供給を常に停止することを特徴とする。この構成では、照度センサの検出照度が第３の設定照度以上になって明るい場合に、すべての照明負荷の点灯を防止することができるので、消費電力を低減することができる。
【００１５】
請求項４に記載の発明は、請求項１〜３のいずれかに記載の発明において、前記照度センサの検出照度が前記第２の設定照度より大きい場合、前記制御手段が、前記熱線センサの検出に応じて前記複数の照明負荷に対して前記電力を供給した後、前記他の照明負荷に対して前記電力を、前記照度センサの検出照度が前記第１の設定照度になるまで連続して供給することを特徴とする。この構成では、熱線センサが人体からの熱線を検出する時間が長く、途中で周囲の照度が小さくなった場合であっても、すべての照明負荷が消灯して真っ暗になることを防止することができる。
【発明の効果】
【００１６】
本発明によれば、照明負荷による点灯及び消灯の繰り返しを防止し、照明負荷を安定に点灯させて一定の明るさを得ることができる。
【発明を実施するための最良の形態】
【００１７】
（実施形態１）
本発明の実施形態１について図１〜５を用いて説明する。図１は、実施形態１の熱線センサ付スイッチの構成を示すブロック図である。図２は、実施形態１の照明システムの構成図である。図３は、実施形態１の熱線センサ付スイッチの下面図である。図４は、実施形態１の照明システムの動作を表す図である。図５は、照明システムの照度に対する各照明負荷の点灯状態及び消灯状態を表す図である。
【００１８】
先ず、実施形態１の基本的な構成について説明する。実施形態１の熱線センサ付スイッチ１は、図２に示すように、２つの照明負荷２，３、２つの子器４，４及び外部機器５とともに照明システムＳを構成している。各照明負荷２，３は、例えば蛍光灯などの照明器具２０・・・，３０・・・を含んでいるものであり、熱線センサ付スイッチ１と接続している。各照明器具２０・・・，３０・・・は、商用電源ＡＣからの電力が熱線センサ付スイッチ１を介して供給されると点灯する。各子器４は、後述する熱線センサ付スイッチ１の熱線センサ１２０及び照度センサ１２４（図１参照）と同様の機能を有する熱線センサ及び照度センサを備え、例えば、熱線センサ付スイッチ１を設置するだけの広さを有しない場所に設置されるものである。上記各子器４は、熱線センサ及び照度センサからの検知信号を、後述する熱線センサ付スイッチ１の信号処理部１３（図１参照）に出力する。外部機器５は、信号処理部１３（図１参照）と接続し、ユーザの操作に基づく外部信号を信号処理部１３に出力する。
【００１９】
熱線センサ付スイッチ１は、図１に示すように、ボディ（図示せず）と、プレート１０（図３参照）と、電源回路部１１と、センサ検知部１２と、信号処理部１３と、出力駆動部１４と、設定部１５とを備え、プレート１０の下面を露出するようにして天井などに設置されるものである。上記熱線センサ付スイッチ１は、子器４及び外部機器５と接続するとともに、電源端子１６、主回路端子１７、副回路端子１８において、それぞれ商用電源ＡＣ、照明負荷２，３と接続している。
【００２０】
プレート１０は、図３に示すように、下側から見ると略円状に形成され、ボディ（図示せず）と嵌合するものである。
【００２１】
電源回路部１１は、図１に示すように、センサ検知部１２、信号処理部１３及び出力駆動部１４と接続している。上記電源回路部１１は、商用電源ＡＣから電源端子１６を介して供給される電力をセンサ検知部１２、信号処理部１３及び出力駆動部１４に出力する。
【００２２】
センサ検知部１２は、熱線センサ１２０と、アンプ１２１と、コンパレータ部１２２と、信号処理部１２３と、照度センサ１２４とを備え、電源回路部１１及び信号処理部１３と接続し、電源回路部１１から供給される電力により動作している。
【００２３】
熱線センサ１２０は、例えばＰＩＲセンサなどであり、プレート１０（図３参照）の中央部に設けられているものであり、人体からの熱線を検出する。アンプ１２１は、熱線センサ１２０が上記熱線を検出したときに、熱線センサ１２０からの信号を増幅してコンパレータ部１２２に出力する。コンパレータ部１２２及び信号処理部１２３は、アンプ１２１からの信号に基づいて検知信号を作成し、上記検知信号を信号処理部１３に出力する。照度センサ１２４は、熱線センサ１２０とともにプレート１０（図３参照）の中央部に設けられているものであり、周囲の照度を検出し、上記検出結果に基づく照度信号を信号処理部１３に出力する。
【００２４】
信号処理部１３は、電源回路部１１、センサ検知部１２、出力駆動部１４、設定部１５、子器４及び外部機器５と接続し、電源回路部１１から供給される電力により動作している。上記信号処理部１３は、設定部１５で予め設定されている消灯照度Ｌ１、点灯照度Ｌ２及び点灯限界照度Ｌ３（すべて図４参照）の情報を含む設定信号を入力し、上記消灯照度Ｌ１、点灯照度Ｌ２及び点灯限界照度Ｌ３を記憶する。
【００２５】
ここで、信号処理部１３による照明負荷２，３に対する制御について説明する。先ず、照明負荷２に対する制御について説明する。信号処理部１３は、照度センサ１２４から照度信号を入力し、照度センサ１２４の検出照度が点灯限界照度Ｌ３（図４参照）より小さいと判断した場合、信号処理部１２３からの検知信号に基づいて、照明負荷２に電力を供給させるための制御信号を出力駆動部１４に出力する。また、照度センサ１２４の検出照度が点灯限界照度Ｌ３以上の範囲であると判断した場合、信号処理部１２３からの検知信号の有無に関わらず、照明負荷２への電力の供給を常に停止させ、各照明器具２０を点灯させないように出力駆動部１４を制御する。
【００２６】
一方、照明負荷３に対する制御について説明する。信号処理部１３は、照度センサ１２４から照度信号を入力し、照度センサ１２４の検出照度が消灯照度Ｌ１（図４参照）以上であると判断した場合、信号処理部１２３からの検知信号に基づいて、照明負荷３に電力を供給するための制御信号を出力駆動部１４に出力する。ただし、照度センサ１２４の検出照度が点灯限界照度Ｌ３以上の範囲である場合、信号処理部１２３からの検知信号の有無に関わらず、照明負荷３への電力の供給を常に停止させ、各照明器具３０を点灯させないように出力駆動部１４を制御する。また、照度センサ１２４の検出照度が点灯照度Ｌ２（図４参照）以下であると判断した場合、信号処理部１２３からの検知信号の有無に関わらず、照度センサ１２４の検出照度が消灯照度Ｌ１になるまで照明負荷３に電力を連続的に供給させるための制御信号を出力駆動部１４に出力する。さらに、信号処理部１３は、照度センサ１２４の検出照度が点灯照度Ｌ２より大きく、点灯限界照度Ｌ３より小さいと判断した場合、信号処理部１２３からの検知信号に基づいて照明負荷２，３に対して電力を供給した後、照度センサ１２４の検出照度が消灯照度Ｌ１になるまで照明負荷３に電力を連続して供給させるための制御信号を出力駆動部１４に出力する。
【００２７】
上記信号処理部１３は、各子器４からの検知信号及び照度信号によっても同様の動作を行う。また、外部機器５からの外部信号に基づいて、照明負荷２，３の各照明器具２０，３０を点灯及び消灯させるための制御信号を出力駆動部１４に出力する。
【００２８】
出力駆動部１４は、電源回路部１１、信号処理部１３と接続するとともに、主回路端子１７及び副回路端子１８を介して照明負荷２，３と接続し、信号処理部１３からの照明負荷２，３の制御信号に基づいて、照明負荷２，３へ供給する電力のオンオフを行う。
【００２９】
設定部１５は、図３に示すように、点灯照度用つまみ１５０と、消灯照度用つまみ１５１と、点灯限界照度用つまみ１５２とを備え、プレート１０の熱線センサ１２０及び照度センサ１２４の近傍に設けられている設定手段である。点灯照度用つまみ１５０は、ユーザがつまみを回す操作により、点灯照度Ｌ２（図４参照）を、５Ｌｘ以下から２００Ｌｘまでの範囲で連続的に可変して設定するものである。消灯照度用つまみ１５１は、ユーザがつまみを回す操作により、消灯照度Ｌ１（図４参照）を、１０Ｌｘから５００Ｌｘまでの範囲で連続的に可変して設定するものである。点灯限界照度用つまみ１５２は、ユーザがつまみを回す操作により、４０Ｌｘ以下から２０００Ｌｘまでの範囲で連続的に点灯限界照度Ｌ３（図４参照）を、可変して設定するものである。上記設定部１５は、設定された消灯照度Ｌ１、点灯照度Ｌ２及び点灯限界照度Ｌ３の情報を含む設定信号を信号処理部１３（図１参照）に出力する。なお、点灯照度用つまみ１５０、点灯照度用つまみ１５１及び点灯限界照度用つまみ１５２のそれぞれの設定範囲は、上記範囲に限定されるものではなく、用途に応じて適宜設定されるものである。また、点灯照度用つまみ１５０、点灯照度用つまみ１５１及び点灯限界照度用つまみ１５２は、それぞれが設定する照度を、連続的に可変するのではなく、段階的に可変して設定するものであってもよい。
【００３０】
ここで、設定部１５による消灯照度Ｌ１，点灯照度Ｌ２及び点灯限界照度Ｌ３（すべて図４参照）の設定について具体的に説明する。先ず、設定部１５は、ユーザによる点灯照度用つまみ１５０への操作により、点灯照度Ｌ２を可変して設定する。次に、設定部１５は、ユーザによる消灯照度用つまみ１５１への操作により、消灯照度Ｌ１が、照度センサ１２４の検出照度が点灯照度Ｌ２以下になったときに照明負荷３の各照明器具３０（図２参照）の点灯により大きくなった照度より大きく、照明負荷３の各照明器具３０が点灯した状態での最大照度より小さくなるように、消灯照度Ｌ１を可変して設定する。例えば、点灯照度Ｌ２を４０Ｌｘに設定し、点灯照度Ｌ２になって照明負荷３の各照明器具３０が点灯したときの照度が８０Ｌｘとすると、消灯照度Ｌ１を１００Ｌｘに設定する。続いて、設定部１５は、ユーザによる点灯限界照度用つまみ１５２への操作により、点灯限界照度Ｌ３を、消灯照度Ｌ１より大きくなるように可変して設定する。
【００３１】
次に、実施形態１の熱線センサ付スイッチ１の動作について図４を用いて説明する。図４において、Ａは、照明負荷２，３の各照明器具２０，３０を点灯させていない場合の照度を示し、Ｂは、照明負荷３の各照明器具３０を点灯させた場合の照度を示し、Ｃは、照明負荷２，３の各照明器具２０，３０を点灯させた場合の照度を示し、Ｄは、実際の照度の変化を示している。先ず、照度センサ１２４（図１参照）の検出照度が点灯照度Ｌ２以上、消灯照度Ｌ１以下の範囲である場合に、熱線センサ１２０（図１参照）が人体の熱線を検出すると（図４のｔ１）、照明負荷２，３（図１参照）に電力が供給され、各照明器具２０，３０（図２参照）が一定時間だけ点灯する。その後、照明負荷２の各照明器具２０は消灯するが、照明負荷３の各照明器具３０は、周囲が急に暗くなることを防止するために点灯を継続する（ｔ２）。次に、照度センサ１２４の検出照度が点灯照度Ｌ２まで小さくなっても継続して点灯する（ｔ３）。上記照明負荷３の各照明器具３０が点灯を継続している状態で、熱線センサ１２０が人体の熱線を検出した場合、上記各照明器具３０に加えて照明負荷２の各照明器具２０も一定時間だけ点灯する（ｔ４）。続いて、照度センサ１２４の検出照度が消灯照度Ｌ１になると、照明負荷３の各照明器具３０が消灯する（ｔ５）。その後、熱線センサ１２０が人体の熱線を検出した場合、照明負荷２，３の各照明器具２０，３０が一定時間だけ点灯する（ｔ６）。照度センサ１２４の検出照度が点灯限界照度Ｌ３以上になると、熱線センサ１２０が人体の熱線を検出したとしても、照明負荷２，３の各照明器具２０，３０は消灯したままである（ｔ７）。
【００３２】
上記熱線センサ付スイッチ１（図２参照）の動作により、照明負荷２，３の各照明器具２０，３０（図２参照）は、図５に示すような点灯状態及び消灯状態になる。つまり、採光が充分採れて明るい場合では、熱線センサ１２０（図１参照）による熱線の検出に関わらず、照明負荷２，３の各照明器具２０，３０を消灯状態にすることができる。一方、暗い場合では、熱線センサ１２０の動作に関わらず、照明負荷３の各照明器具３０を点灯状態にすることができる。これにより、暗い中に足を踏み入れる不快感を低減することができる。また、採光が充分採れて明るい場合と暗い場合との中間の場合では、熱線センサ１２０が人体からの熱線を検出したときは、照明負荷２，３の各照明器具２０，３０を点灯状態にし、熱線センサ１２０が人体からの熱線を検出しなくなったときは、各照明器具２０，３０を消灯状態にすることができる。
【００３３】
以上、実施形態１によれば、図１に示すように、設定部１５により２つの照明負荷２，３の設置状況に応じて消灯照度Ｌ１及び点灯照度Ｌ２（図４参照）を設定することができるので、照度センサ１２４の検出照度が点灯照度Ｌ２以下になったときに、照明負荷３の各照明器具３０による点灯及び消灯の繰り返しを防止し、照明負荷３の各照明器具３０を安定に点灯させて一定の明るさを得ることができる。また、熱線センサ１２０が人体からの熱線を検出する時間が長く、途中で周囲の照度が小さくなった場合であっても、照明負荷２，３のすべての照明器具２０・・・，３０・・・が消灯して真っ暗になることを防止することができる。さらに、照度センサ１２４の検出照度が点灯限界照度Ｌ３（図４参照）以上になって明るくなった場合に、照明負荷２，３の各照明器具２０，３０の点灯を防止することができるので、消費電力を低減することができる。
【００３４】
なお、実施形態１の変形例として、照度センサをプレートから分離して設けてもよい。このような構成にしても、実施形態１と同様の効果を得ることができる。
【００３５】
（実施形態２）
本発明の実施形態２について図６を用いて説明する。図６は、実施形態２の設定部の要部を示す正面図である。
【００３６】
実施形態２の熱線センサ付スイッチは、実施形態１の熱線センサ付スイッチ１（図１参照）と同様に、ボディ（図示せず）と、プレート１０と、電源回路部１１と、センサ検知部１２と、信号処理部１３と、出力駆動部１４とを備え、２つの照明負荷２，３、複数の子器４，４及び外部機器５とともに照明システムＳを構成しているが、実施形態１の熱線センサ付スイッチ１にはない以下に記載の特徴部分がある。
【００３７】
実施形態２の熱線センサ付スイッチは、図６に示すような設定部１５ａを備えている。上記設定部１５ａは、実施形態１と同様の点灯照度用つまみ１５０と、点灯限界照度用つまみ１５２（図１参照）とを備えるとともに、実施形態１の消灯照度用つまみ１５１に代えて、消灯照度用つまみ１５１ａを備えている。消灯照度用つまみ１５１ａは、ユーザがつまみを回す操作により、点灯照度Ｌ２に対する消灯照度Ｌ１の比率を、１．５倍から５０倍まで、１以上の範囲で段階的又は連続的に可変して設定するものである。なお、設定部１５ａは、上記以外の点で実施形態１の設定部１５（図１参照）と同様である。
【００３８】
以上、実施形態２によれば、消灯照度Ｌ１が点灯照度Ｌ２より小さくなることを防止することができるので、点灯照度Ｌ２の大きさを気にすることなく消灯照度Ｌ１を設定することができる。
【図面の簡単な説明】
【００３９】
【図１】本発明による実施形態１の熱線センサ付スイッチの構成を示すブロック図である。
【図２】同上の照明システムの構成図である。
【図３】同上の熱線センサ付スイッチの下面図である。
【図４】同上の照明システムの動作を表す図である。
【図５】同上の照度に対する各照明負荷の点灯状態及び消灯状態を表す図である。
【図６】本発明による実施形態２の設定部の要部を示す正面図である。
【図７】従来の照明システムであって、（ａ）は熱線センサの検出により制御される照明器具のみを接続したときの構成図、（ｂ）はスイッチにより制御される照明器具のみを接続したときの構成図、（ｃ）は照明器具の配置図である。
【図８】同上の調光制御を行う照明システムであって、（ａ）は構成図、（ｂ）は動作を表す図である。
【図９】同上の他の照明システムの動作を表す図である。
【符号の説明】
【００４０】
１２０  熱線センサ
１２４  照度センサ
１３  信号処理部
１４  出力駆動部
１５  設定部
２，３  照明負荷
【図１】
2006331890.tif 000003
【図２】
2006331890.tif 000004
【図３】
2006331890.tif 000005
【図４】
2006331890.tif 000006
【図５】
2006331890.tif 000007
【図６】
2006331890.tif 000008
【図７】
2006331890.tif 000009
【図８】
2006331890.tif 000010
【図９】
2006331890.tif 000011